(57)【要約】【課題】一の移動機に登録されている複数の電話番号のうち何れかの電話番号に対し着信があった場合にこの移動機がこの着信に応答できる通信制御方法及び通信制御装置を提供すること。【解決手段】ルーチング番号取得要求をローミングＧＷ３０が受信するステップＳ２３と、この電話番号に基づいてローミングＧＷ３０が通知用番号を取得するステップＳ２４と、取得要求と通知用番号とをローミングＧＷ３０がＭＳＣ２０に送信するステップＳ２６と、取得要求と通知用番号とに応じてＭＳＣ２０から送信されるＭＳＲＮをローミングＧＷ３０が受信するステップＳ２８と、ＭＳＲＮをローミングＧＷ３０がＨＬＲ＿Ｘ７０に送信するステップＳ２９とを有する。【選択図】図５
2008125013.tif 000002
【特許請求の範囲】
【請求項１】
複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置を用いた通信制御方法であって、
前記複数の電話番号のうち何れか一の電話番号に基づいて成された前記移動機のローミング用番号の取得要求を前記通信制御装置が受信する要求受信ステップと、
前記要求受信ステップの後、前記取得要求の行われた前記電話番号に基づいて前記通信制御装置が前記通知用番号を取得する番号取得ステップと、
前記番号取得ステップの後、前記通信制御装置により受信された前記取得要求を、前記通信制御装置により取得された前記通知用番号とともに該通信制御装置が前記在圏交換機に送信する要求送信ステップと、
前記通信制御装置から送信された前記取得要求に応じて前記在圏交換機から送信され前記通知用番号に対応する前記ローミング用番号を、前記通信制御装置が受信する番号受信ステップと、
前記番号受信ステップにおいて前記通信制御装置が受信した前記ローミング用番号を、該通信制御装置が前記取得要求の要求元に送信する番号送信ステップと
を有する、ことを特徴とする通信制御方法。
【請求項２】
複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置を用いた通信制御方法であって、
前記複数の電話番号のうち何れか一の電話番号を用いて成された前記移動機宛ての文字情報の発信要求を前記通信制御装置が受信する要求受信ステップと、
前記要求受信ステップにおいて受信された前記発信要求の行われた前記電話番号に基づいて、前記通信制御装置が前記通知用番号を取得する番号取得ステップと、
前記要求受信ステップにおいて受信された前記発信要求を、前記番号取得ステップにおいて取得された前記通知用番号とともに前記通信制御装置が前記在圏交換機に送信する要求送信ステップと
を有する、ことを特徴とする通信制御方法。
【請求項３】
複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置であって、
前記複数の電話番号のうち何れか一の電話番号に基づいて成された前記移動機のローミング用番号の取得要求を受信する要求受信手段と、
前記要求受信手段により受信された前記取得要求の行われた前記電話番号に基づいて、前記通知用番号を取得する番号取得手段と、
前記要求受信手段により受信された前記取得要求を、前記番号取得手段により取得された前記通知用番号とともに前記在圏交換機に送信する要求送信手段と、
前記要求送信手段により送信された前記取得要求に応じて前記在圏交換機から送信され前記通知用番号に対応する前記ローミング用番号を受信する番号受信手段と、
前記番号受信手段により受信された前記ローミング用番号を、前記取得要求の要求元に送信する番号送信手段と
を備える、ことを特徴とする通信制御装置。
【請求項４】
複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置であって、
前記複数の電話番号のうち何れか一の電話番号を用いて成された前記移動機宛ての文字情報の発信要求を受信する要求受信手段と、
前記要求受信手段により受信された前記発信要求の行われた前記電話番号に基づいて、前記通知用番号を取得する番号取得手段と、
前記要求受信手段により受信された前記発信要求を、前記番号取得手段により取得された前記通知用番号とともに前記在圏交換機に送信する要求送信手段と
を備える、ことを特徴とする通信制御装置。
【発明の詳細な説明】
【技術分野】
【０００１】
本発明は、通信制御方法及び通信制御装置に関する。
【背景技術】
【０００２】
移動体通信システムの標準規格である３ＧＰＰ（3rd  Generation  Partnership  Project）の仕様が非特許文献１に記載されている。この非特許文献１によれば、一の移動機のＳＩＭ（Subscriber  Identification  Module）に記録されている一つのＩＭＳＩ（International  Mobile  User  Identity）に対し複数の電話番号が登録可能となっている。
【非特許文献１】3GPP  TS31.102  4.2.26,  Version  6.15.0,  [online],  [retrieved  on  16  October  2006],  Retrieved  from  the  Internet：<URL:http://www.3gpp.org/ftp/Specs/2006-09/Rel-6/31_series/31102-6f0.zip>.
【発明の開示】
【発明が解決しようとする課題】
【０００３】
しかし、ＩＭＳＩに登録されている複数の電話番号のうち何れかの電話番号に対し着信があった場合に移動機がこの着信に応答するための処理手順は、３ＧＰＰ規格に規定されていない。このため、複数の電話番号がＩＭＳＩに登録されている場合に行う着信処理技術の開発が望まれている。そこで本発明の目的は、一の移動機に登録されている複数の電話番号のうち何れかの電話番号に対し着信があった場合にこの移動機がこの着信に応答できる通信制御方法及び通信制御装置を提供することを目的とする。
【課題を解決するための手段】
【０００４】
本発明は、複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置を用いた通信制御方法であって、複数の電話番号のうち何れか一の電話番号に基づいて成された移動機のローミング用番号の取得要求を通信制御装置が受信する要求受信ステップと、要求受信ステップの後、取得要求の行われた電話番号に基づいて通信制御装置が通知用番号を取得する番号取得ステップと、番号取得ステップの後、通信制御装置により受信された取得要求を、通信制御装置により取得された通知用番号とともに該通信制御装置が在圏交換機に送信する要求送信ステップと、通信制御装置から送信された取得要求に応じて在圏交換機から送信され通知用番号に対応するローミング用番号を、通信制御装置が受信する番号受信ステップと、番号受信ステップにおいて通信制御装置が受信したローミング用番号を、該通信制御装置が取得要求の要求元に送信する番号送信ステップとを有する、ことを特徴とする。
【０００５】
また、本発明は、複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置であって、複数の電話番号のうち何れか一の電話番号に基づいて成された移動機のローミング用番号の取得要求を受信する要求受信手段と、要求受信手段により受信された取得要求の行われた電話番号に基づいて、通知用番号を取得する番号取得手段と、要求受信手段により受信された取得要求を、番号取得手段により取得された通知用番号とともに在圏交換機に送信する要求送信手段と、要求送信手段により送信された取得要求に応じて在圏交換機から送信され通知用番号に対応するローミング用番号を受信する番号受信手段と、番号受信手段により受信されたローミング用番号を、取得要求の要求元に送信する番号送信手段と
を備える、ことを特徴とする。
【０００６】
従って、一の移動機に設定されている複数の電話番号のうち何れかの電話番号に対し着信があった場合にこの移動機がこの着信に応答できる。このように、本発明によれば、複数の電話番号が移動機に設定されている場合の着信処理の技術を提供できる。
【０００７】
また、本発明は、複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置を用いた通信制御方法であって、複数の電話番号のうち何れか一の電話番号を用いて成された移動機宛ての文字情報の発信要求を通信制御装置が受信する要求受信ステップと、要求受信ステップにおいて受信された発信要求の行われた電話番号に基づいて、通信制御装置が通知用番号を取得する番号取得ステップと、要求受信ステップにおいて受信された発信要求を、番号取得ステップにおいて取得された通知用番号とともに通信制御装置が在圏交換機に送信する要求送信ステップとを有する、ことを特徴とする。
【０００８】
また、本発明は、複数の通信網毎に設定された一の移動機に対する複数の電話番号と、該移動機の発呼先に通知する通知用番号を含んでおり該移動機の在圏交換機の保持する識別情報とを互いに関連付けて保持するローミング用の通信制御装置であって、複数の電話番号のうち何れか一の電話番号を用いて成された移動機宛ての文字情報の発信要求を受信する要求受信手段と、要求受信手段により受信された発信要求の行われた電話番号に基づいて、通知用番号を取得する番号取得手段と、要求受信手段により受信された発信要求を、番号取得手段により取得された通知用番号とともに在圏交換機に送信する要求送信手段とを備える、ことを特徴とする。
【０００９】
従って、一の移動機に設定されている複数の電話番号のうち何れかの電話番号に対し文字情報の着信があった場合にこの移動機がこの文字情報を受信できる。このように、本発明によれば、複数の電話番号が移動機に設定されている場合の文字情報の着信処理技術を提供できる。
【発明の効果】
【００１０】
本発明によれば、一の移動機に登録されている複数の電話番号のうち何れかの電話番号に対し着信があった場合にこの移動機がこの着信に応答できる通信制御方法及び通信制御装置を提供できる。
【発明を実施するための最良の形態】
【００１１】
以下、図面を参照して、本発明に係る好適な実施形態について詳細に説明する。なお、図面の説明において、可能な場合には、同一要素には同一符号を付し、重複する説明を省略する。図１を参照して、実施形態に係る通信制御システム１の構成を説明する。通信制御システム１は、移動機１０、ＭＳＣ２０（Mobile  Switching  Center）、ローミングＧＷ３０（GateWay）、ＨＬＲ＿自網４０（Home  Location  Register）、ＨＬＲ＿他網５０及びＧＭＳＣ６０（Gateway  MSC）を備える。ＭＳＣ２０は、移動機１０と無線通信を行い、ローミングＧＷ３０とＧＭＳＣ６０とに有線接続されている。ローミングＧＷ３０は、ＨＬＲ＿自網４０とＨＬＲ＿他網５０とに有線接続されている。
【００１２】
移動機１０は、携帯電話等の通信端末であり、移動機１０のＳＩＭに記録されているＩＭＳＩ（後述の「ＩＭＳＩ：自網」）には複数の電話番号が登録可能となっている。以下、自網とは、移動機１０の契約する通信網を意味する。また、他網とは、自網以外の他の通信網を意味する。そして、移動機１０の在圏する通信網は、自網又は他網の何れかである。ＭＳＣ２０は、移動機１０の在圏する通信網に設けられた在圏交換機である。また、ＭＳＣ２０は、移動機１０に対するルーチング番号（ローミング用番号）を示すＭＳＲＮ（Mobile  Station  Roaming  Number）を保持する。ローミングＧＷ３０は、移動機１０の在圏する通信網や、自網及び他網等、複数の通信網の間においてローミング処理を行う通信制御装置である。
【００１３】
ＨＬＲ＿自網４０は、自網に設けられたＨＬＲであり、ＩＭＳＩやＭＳＩＳＤＮ（Mobile  Station  ISDN  number  definition）を含む移動機１０の加入者情報（識別情報）を管理する。ＨＬＲ＿自網４０の管理する移動機１０のＩＭＳＩ、ＭＳＩＳＤＮを、それぞれ「ＩＭＳＩ：自網」、「ＭＳＩＳＤＮ：自網」という。ＨＬＲ＿他網５０は、他網に設けられたＨＬＲであり、ＩＭＳＩやＭＳＩＳＤＮを含む移動機１０の加入者情報を管理する。ＨＬＲ＿他網５０の管理する移動機１０のＩＭＳＩ、ＭＳＩＳＤＮを、それぞれ「ＩＭＳＩ：他網」、「ＭＳＩＳＤＮ：他網」という。加入者情報は、契約プラン情報及び契約サービス情報等や、ＩＭＳＩ及びＭＳＩＳＤＮ等を含んでおり、移動機１０の契約に係る各種情報を含む。なお、以下では、ＨＬＲ＿自網４０及びＨＬＲ＿他網５０を、ＨＬＲ＿Ｘ７０（図５を参照。）と表現する場合がある。この場合、「Ｘ」は、自網又は他網のうち何れかを表わす。ＨＬＲ＿Ｘ７０は、通信網Ｘにおいて設定された移動機１０に対する加入者情報を有する。この加入者情報は、「ＩＭＳＩ：Ｘ」及び「ＭＳＩＳＤＮ：Ｘ」を含む。なお、以下において、電話番号をＭＳＩＳＤＮと称する場合がある。
【００１４】
また、「Ａ：Ｂ」とする記載は、「Ｂに設定されているＡ」を意味する。例えば、「ＩＭＳＩ：自網」の記載は、「自網に設定されているＩＭＳＩ」を意味しており、「ＭＳＩＳＤＮ：自網」の記載は、「自網に設定されているＭＳＩＳＤＮ」を意味している。また、「ＩＭＳＩ：他網」の記載は、「他網に設定されているＩＭＳＩ」を意味しており、「ＭＳＩＳＤＮ：他網」の記載は、「他網に設定されているＭＳＩＳＤＮ」を意味している。
【００１５】
ＧＭＳＣ６０は、移動機１０に対し接続要求を行う通信機の通信網（以下、通信網Ｘという。）に設けられた交換機である。例えば、この通信網Ｘが自網の場合、ＧＭＳＣ６０は自網の交換機であり、通信網Ｘが他網の場合、ＧＭＳＣ６０は他網の交換機である。ＧＭＳＣ６０は、通信網Ｘにおいて設定された移動機１０に対する加入者情報を有する。この加入者情報は、「ＩＭＳＩ：Ｘ」及び「ＭＳＩＳＤＮ：Ｘ」を含む。
【００１６】
次に、図２及び図３を参照して、ローミングＧＷ３０の構成を説明する。図２に示すように、ローミングＧＷ３０は、物理的には、ＣＰＵ３１、ＲＡＭ３２、ＲＯＭ３３、入力装置３４、出力装置３５、通信装置３６及び記録装置３７を有しており、これらはバス３８に接続されている。ＣＰＵ３１は、ＲＯＭ３３等の内蔵メモリに格納された所定のコンピュータソフトウェアをＲＡＭ３２にロードして実行することにより、ローミングＧＷ３０を統括的に制御する。入力装置３４は、データ入力用デバイスであり、入力されたデータをＣＰＵ３１に出力する。出力装置３５は、ＬＣＤ等の表示装置であり、ＣＰＵ３１から入力されたデータをＬＣＤ等に表示する。通信装置３６は、ＭＳＣ２０、ＨＬＲ＿自網４０及びＨＬＲ＿他網５０等、複数の通信網の間でローミングを行うためのインターフェイスを有する。
【００１７】
記録装置３７は、移動機１０等の複数の移動機のそれぞれに対する複数の通信網毎の複数の加入者情報等を格納する大容量メモリである。記録装置３７は、移動機１０の通知用番号を含む加入者情報を、複数の通信網毎に設定された移動機１０に対する複数の加入者情報に関連付けて格納する。この場合、ローミングＧＷ３０は、記録装置３７と用いて、複数の通信網毎に設定された移動機１０に対する複数のＭＳＩＳＤＮ（加入者情報に含まれているＭＳＩＳＤＮ）と、移動機１０の発呼先に通知する通知用番号を含んでおりＭＳＣ２０の保持する加入者情報とを互いに関連付けて保持する。
【００１８】
ＣＰＵ３１は、図３に示す複数の機能を実現する。図３は、ＣＰＵ３１により実現されるローミングＧＷ３０の機能を示すブロック図である。ローミングＧＷ３０は、機能的には、アタッチ・位置登録部３１１、要求受信部３１２（要求受信手段）、番号取得部３１３（番号取得手段）、要求送信部３１４（要求送信手段）、番号受信部３１５（番号受信手段）及び番号送信部３１６（番号送信手段）を有する。アタッチ・位置登録部３１１〜番号送信部３１６は、ＣＰＵ３１が上述のコンピュータソフトウェアを実行し、図２に示すローミングＧＷ３０の各構成部を動作させることにより実現される機能である。特に、ＣＰＵ３１は、アタッチ・位置登録部３１１を用いて、図４に示すローミングＧＷ３０が行う処理を実行し、要求受信部３１２〜番号送信部３１６を用いて、図５に示すローミングＧＷ３０が行う処理を実行する。
【００１９】
アタッチ・位置登録部３１１は、図４のシーケンスに示すアタッチ・位置登録処理を行う。アタッチ・位置登録部３１１は、移動機１０の発呼先に通知するＭＳＩＳＤＮとして移動機１０から指定されたＭＳＩＳＤＮを、記録装置３７に記録する。アタッチ・位置登録部３１１は、移動機１０のアタッチ・位置登録要求に応じて複数の通信網（自網及び他網）の各々から送信される移動機１０に対する複数の加入者情報を受信する。アタッチ・位置登録部３１１は、この受信した複数の加入者情報の各々に含まれている複数のＭＳＩＳＤＮのうち記録装置３７に記録されているＭＳＩＳＤＮと一致するＭＳＩＳＤＮを、移動機１０の発呼先に通知する通知用番号に設定する。アタッチ・位置登録部３１１は、この設定した通知用番号を含む加入者情報をＭＳＣ２０に送信する。
【００２０】
このように、アタッチ・位置登録部３１１がアタッチ・位置登録処理を行うことにより、移動機１０に対する複数の加入者情報がローミングＧＷ３０の記録装置３７に記録され、移動機１０に対する複数のＭＳＩＳＤＮのうち何れか一のＭＳＩＳＤＮが通知用番号としてＭＳＣ２０に記録される。
【００２１】
また、要求受信部３１２は、アタッチ・位置登録部３１１によって行われるアタッチ・位置登録処理の後、ローミングＧＷ３０の記録装置３７に記録されており移動機１０に対する複数の加入者情報のうち何れか一の加入者情報に含まれているＭＳＩＳＤＮ（着番号：Ｘ）に基づき通信網Ｘに在圏する通信機から移動機１０への接続要求に応じて成された移動機１０に対するルーチング番号取得要求を、ＨＬＲ＿Ｘ７０（図５を参照。）から受信する。通信網Ｘは、自網又は他網の何れかを表わす。また、「着番号：Ｘ」は、通信網Ｘにおける移動機１０のＭＳＩＳＤＮである。この通信網Ｘに在圏する通信機は、ＧＭＳＣ６０に移動機１０に対する接続要求を行い、ＧＭＳＣ６０は、この接続要求に応じて移動機１０の契約情報や在圏状態を取得するために着信情報読出要求をＨＬＲ＿Ｘ７０に送信する。そして、ＨＬＲ＿Ｘ７０は、受信した着信情報読出要求に応じて、移動機１０に対するルーチング番号を取得するためのルーチング番号取得要求をローミングＧＷ３０に送信する。
【００２２】
番号取得部３１３は、上述のルーチング番号取得要求の行われた着番号：Ｘ（「ＭＳＩＳＤＮ：Ｘ」）に基づいて移動機１０の通知用番号を記録装置３７から取得する。
【００２３】
要求送信部３１４は、要求受信部３１２により受信されたルーチング番号取得要求と、番号取得部３１３により取得された通知用番号とをＭＳＣ２０に送信する。
【００２４】
番号受信部３１５は、要求送信部３１４により送信されたルーチング番号取得要求に応じてＭＳＣ２０から送信されたＭＳＲＮを受信する。このＭＳＲＮは要求送信部３１４により送信された通知用番号に対応している。
【００２５】
番号送信部３１６は、番号受信部３１５により受信されたＭＳＲＮを、ルーチング番号取得要求の要求元であるＨＬＲ＿Ｘ７０に送信する。
【００２６】
次に、図４を参照し、実施形態に係るアタッチ・位置登録処理について説明する。図４は、このアタッチ・位置登録処理を説明するためのシーケンスである。まず、ローミングＧＷ３０のアタッチ・位置登録部３１１は、移動機１０の発呼先に通知するＭＳＩＳＤＮとして、ユーザにより移動機１０から指定されたＭＳＩＳＤＮを記録装置３７に記録する（指定電話番号記録ステップ）。この指定されたＭＳＩＳＤＮは、例えば、自網や他網のＭＳＩＳＤＮであり、移動機１０からＭＳＣ２０を介してローミングＧＷ３０に送信される。
【００２７】
この後、移動機１０は、「ＩＭＳＩ：自網」を含むアタッチ・位置登録要求をＭＳＣ２０に送信し（ステップＳ１）、ＭＳＣ２０は、この送信を受けて、「ＩＭＳＩ：自網」及び「ｖｌｒＮｕｍｂｅｒ：ＭＳＣ」を含むアタッチ・位置登録要求をローミングＧＷ３０に送信する（ステップＳ２）。ここで、ｖｌｒＮｕｍｂｅｒとは、ＶＬＲ（Visitor  Location  Register）を識別するための番号を意味する。ステップＳ２の後、ローミングＧＷ３０のアタッチ・位置登録部３１１は、移動機１０からＭＳＣ２０を介して送信された移動機１０のアタッチ・位置登録要求に応じて、複数の通信網（自網や他網）の各々から送信される複数の加入者情報（通信網毎の加入者情報）を受信する（ステップＳ３〜ステップＳ６、加入者情報受信ステップ）。
【００２８】
この加入者情報受信ステップにおいて、アタッチ・位置登録部３１１は、まず、自網へのアタッチ・位置登録を開始する（ステップＳ３）。このステップＳ３において、アタッチ・位置登録部３１１は、ＭＳＣ２０から送信されたアタッチ・位置登録要求に含まれている「ｖｌｒＮｕｍｂｅｒ：ＭＳＣ」を、「ｖｌｒＮｕｍｂｅｒ：ローミングＧＷ」に変換する。この変換の後、アタッチ・位置登録部３１１は、自網へのアタッチ・位置登録を実行する（ステップＳ４）。このステップＳ４において、アタッチ・位置登録部３１１は、「ＩＭＳＩ：自網」及び「ｖｌｒＮｕｍｂｅｒ：ローミングＧＷ」を含むアタッチ・位置登録要求をＨＬＲ＿自網４０に送信する。
【００２９】
ＨＬＲ＿自網４０は、このアタッチ・位置登録要求に応じて、ＨＬＲ＿自網４０の管理する移動機１０に対する加入者情報をローミングＧＷ３０にダウンロードする。このダウンロードされる加入者情報は、「ＩＭＳＩ：自網」及び「ＭＳＩＳＤＮ：自網」を含む。この後、アタッチ・位置登録部３１１は、加入者情報のダウンロード応答をＨＬＲ＿自網４０に送信し、ＨＬＲ＿自網４０は、この応答を受けてローミングＧＷ３０にアタッチ・位置登録応答を送信する。このアタッチ・位置登録応答は、「ｈｌｒＮｕｍｂｅｒ：ＨＬＲ＿自網」を含む（以上、ステップＳ４）。ここで、ｈｌｒＮｕｍｂｅｒとは、ＨＬＲを識別するための番号を意味する。
【００３０】
上述のように自網へのアタッチ・位置登録が行われた後、アタッチ・位置登録部３１１は、他網へのアタッチ・位置登録を開始する（ステップＳ５）。このステップＳ５において、アタッチ・位置登録部３１１は、ＭＳＣ２０から送信されたアタッチ・位置登録要求に含まれている「ＩＭＳＩ：自網」を「ＩＭＳＩ：他網」に変換し、「ｖｌｒＮｕｍｂｅｒ：ＭＳＣ」を「ｖｌｒＮｕｍｂｅｒ：ローミングＧＷ」に変換する。この変換の後、アタッチ・位置登録部３１１は、他網へのアタッチ・位置登録を実行する（ステップＳ６）。
【００３１】
このステップＳ６において、アタッチ・位置登録部３１１は、まず、「ＩＭＳＩ：他網」及び「ｖｌｒＮｕｍｂｅｒ：ローミングＧＷ」を含むアタッチ・位置登録要求をＨＬＲ＿他網５０に送信する。ＨＬＲ＿他網５０は、このアタッチ・位置登録要求に応じて、ＨＬＲ＿他網５０の管理する移動機１０に対する加入者情報をローミングＧＷ３０にダウンロードする。このダウンロードされる加入者情報は、「ＩＭＳＩ：他網」及び「ＭＳＩＳＤＮ：他網」を含む。この後、アタッチ・位置登録部３１１は、加入者情報のダウンロード応答をＨＬＲ＿他網５０に送信し、ＨＬＲ＿他網５０は、この応答を受けてローミングＧＷ３０にアタッチ・位置登録応答を送信する。このアタッチ・位置登録応答は、「ｈｌｒＮｕｍｂｅｒ：ＨＬＲ＿他網」を含む（以上、ステップＳ６）。
【００３２】
ステップＳ６の後、ローミングＧＷ３０のアタッチ・位置登録部３１１は、ステップＳ３〜ステップＳ６においてＨＬＲ＿自網４０及びＨＬＲ＿他網５０から取得した複数の加入者情報の各々に含まれているＭＳＩＳＤＮのうち、指定電話番号記録ステップにおいてローミングＧＷ３０の記録装置３７に記録されたＭＳＩＳＤＮと一致するＭＳＩＳＤＮを、移動機１０の発呼先に通知する通知用番号に設定する（ステップＳ７、通知用番号設定ステップ）。この設定されたＭＳＩＳＤＮは、「ＭＳＩＳＤＮ：通知用番号」である。「ＭＳＩＳＤＮ：通知用番号」は、通知用番号が自網のＭＳＩＳＤＮの場合「ＭＳＩＳＤＮ：自網」であり、通知用番号が他網のＭＳＩＳＤＮの場合「ＭＳＩＳＤＮ：他網」である。このステップＳ７において、移動機１０の通知用番号を含む加入者情報は、移動機１０に対する複数の加入者情報に関連付けて記録装置３７に格納される。
【００３３】
ステップＳ７の後、アタッチ・位置登録部３１１は、「ＩＭＳＩ：自網」及び「ＭＳＩＳＤＮ：通知用番号」を含む加入者情報を、ＭＳＣ２０にダウンロードする（ステップＳ８、加入者情報送信ステップ）。ステップＳ８の後、ＭＳＣ２０は、ローミングＧＷ３０からダウンロードした加入者情報に含まれる「ＩＭＳＩ：自網」及び「ＭＳＩＳＤＮ：通知用番号」をＭＳＣ２０のＶＬＲに格納し（ステップＳ９、通知用番号記録ステップ）、加入者情報のダウンロード応答をローミングＧＷ３０に送信する（ステップＳ１０）。また、ステップＳ８の後、ＭＳＣ２０は、「ＩＭＳＩ：自網」及び「ＭＳＩＳＤＮ：通知用番号」を移動機１０のＭＳＲＮと関連付けてＶＬＲに格納する。
【００３４】
ステップＳ１０の後、ローミングＧＷ３０は、この加入者情報のダウンロード応答をＭＳＣ２０から受けると、「ｈｌｒＮｕｍｂｅｒ：ローミングＧＷ」の設定を行い（ステップＳ１１）、この「ｈｌｒＮｕｍｂｅｒ：ローミングＧＷ」をアタッチ・位置登録応答に含めてＭＳＣ２０に送信し（ステップＳ１２）、ＭＳＣ２０は、このローミングＧＷ３０からの応答に応じて、このアタッチ・位置登録応答を移動機１０に送信する（ステップＳ１３）。このステップＳ１３の処理により、上述した一連のアタッチ・位置登録処理の完了が移動機１０により確認できる。上述の図４のシーケンスに示すアタッチ・位置登録処理がアタッチ・位置登録部３１１によって行われる度に、ローミングＧＷ３０の記録装置３７に記録されており通信網毎に設定された移動機１０に対する複数の加入者情報が更新される。
【００３５】
次に、図５を参照し、実施形態に係る着信処理（通信制御方法）について説明する。図５は、この着信処理を説明するためのシーケンスである。図５のシーケンスに示す着信処理は、図４のシーケンスに示すアタッチ・位置登録処理の後に行われる。まず、移動機１０に対する接続要求が通信網Ｘに在圏する通信機からＧＭＳＣ６０に送信される（ステップＳ２０）。ステップＳ２０において、この通信機は、移動機１０に対する「着番号：Ｘ」を用いて、移動機１０に対する接続要求をＧＭＳＣ６０に対して行う。この「着番号：Ｘ」は、ローミングＧＷ３０の記録装置３７に記録されており移動機１０に対する複数の加入者情報のうち何れか一の加入者情報に含まれているＭＳＩＳＤＮである。
【００３６】
ステップＳ２０の後、ＧＭＳＣ６０は、移動機１０に対する接続要求の受信に応じて、移動機１０の契約情報や在圏状態を取得するために「ＭＳＩＳＤＮ：Ｘ」を含む着信情報読出要求を、ＨＬＲ＿Ｘ７０に送信する（ステップＳ２１）。この場合、ＧＭＳＣ６０は、上記接続要求の送信時に用いられた「着番号：Ｘ」に基づいて、自機が管理する移動機１０に対する加入者情報から「ＭＳＩＳＤＮ：Ｘ」を取得し、この「ＭＳＩＳＤＮ：Ｘ」を、着信情報読出要求に含める。「着番号：Ｘ」は「ＭＳＩＳＤＮ：Ｘ」を意味する。
【００３７】
ステップＳ２１の後、ＨＬＲ＿Ｘ７０は、移動機１０に対するルーチング番号を取得するためのルーチング番号取得要求をローミングＧＷ３０に送信する（ステップＳ２２）。このルーチング番号取得要求には、「ＩＭＳＩ：Ｘ」及び「ＭＳＩＳＤＮ：Ｘ」が含まれている。ステップＳ２２の後、要求受信部３１２は、ルーチング番号取得要求を、ＨＬＲ＿Ｘ７０から受信する（ステップＳ２３、要求受信ステップ）。このルーチング番号取得要求が要求受信部３１２により受信された後、番号取得部３１３は、「ＭＳＩＳＤＮ：Ｘ」（「着番号：Ｘ」）に基づいて、移動機１０の通知用番号を記録装置３７から取得し（ステップＳ２４、番号取得ステップ）、そして、ＩＭＳＩ及びＭＳＩＳＤＮを、「ＩＭＳＩ：自網」及び「ＭＳＩＳＤＮ：通知用番号」に設定する（ステップＳ２５）。
【００３８】
ステップＳ２５の後、要求送信部３１４は、要求受信部３１２により受信されたルーチング番号取得要求をＭＳＣ２０に送信する（ステップＳ２６、要求送信ステップ）。このルーチング番号取得要求には、番号取得部３１３により取得された通知用番号（「ＭＳＩＳＤＮ：通知用番号」）と、「ＩＭＳＩ：自網」とが含まれている。
【００３９】
ＭＳＣ２０は、ステップＳ２６において要求送信部３１４により送信されたルーチング番号取得要求に応じてルーチング番号取得要求に対する応答を行う（ステップＳ２７）。このルーチング番号取得要求に対する応答には、移動機１０に対するＭＳＲＮが含まれている。ステップＳ２７の後、番号受信部３１５は、ＭＳＣ２０から送信されたルーチング番号取得要求に対する応答を受信する（ステップＳ２８、番号受信ステップ）。
【００４０】
そして、ルーチング番号取得要求に対する応答が番号受信部３１５により受信された後、番号送信部３１６は、このＭＳＲＮを含むルーチング番号取得要求を、ルーチング番号取得要求の要求元であるＨＬＲ＿Ｘ７０に送信する（ステップＳ２９、番号送信ステップ）。ステップＳ２９の後、ＨＬＲ＿Ｘ７０は、ルーチング番号取得要求に対する応答に含まれているＭＳＲＮを、着信情報読出要求に対する応答に含めてＧＭＳＣ６０に送信する（ステップＳ３０）。ステップＳ３０の後、ＧＭＳＣ６０は、着信情報読出要求に含まれているＭＳＲＮを着番号として（「着番号：ＭＳＲＮ」）、ステップＳ２０で行われた移動機１０に対する接続要求をＭＳＣ２０に行う（ステップＳ３１）。このとき、ＧＭＳＣ６０の設けられている通信網とＭＳＣ２０の設けられている通信網とが互いに異なる場合、ＧＭＳＣ６０からの接続要求は、まず、移動機１０の在圏する通信網（ＭＳＣ２０の設けられている通信網）のＧＭＳＣによって受信され、次いで、このＧＭＳＣからＭＳＣ２０に転送される。そして、ステップＳ３１の後、従来の着信制御処理が行われる（ステップＳ３２）。
【００４１】
次に、実施形態に係る通信制御システム１の作用効果を説明する。複数の通信網毎に設定された移動機１０に対する複数のＭＳＩＳＤＮと移動機１０の発呼先に通知する通知用番号を含んでおりＭＳＣ２０の保持する加入者情報とを互いに関連付けて保持する実施形態に係るローミングＧＷ３０は、要求受信部３１２、番号取得部３１３、要求送信部３１４、番号受信部３１５及び番号送信部３１６を備える。要求受信部３１２は、複数のＭＳＩＳＤＮのうち何れか一のＭＳＩＳＤＮに基づいて成されたルーチング番号取得要求を受信する。このルーチング番号取得要求は移動機１０に対するＭＳＲＮを取得するための要求を意味する。番号取得部３１３は、要求受信部３１２により受信された取得要求が行われたＭＳＩＳＤＮに基づいて、移動機１０の通知用番号を取得する。要求送信部３１４は、要求受信部３１２により受信された取得要求を、番号取得部３１３により取得された移動機１０の通知用番号とともにＭＳＣ２０に送信する。番号受信部３１５は、要求送信部３１４により送信された取得要求に応じてＭＳＣ２０から送信されたＭＳＲＮを受信する。このＭＳＲＮは、要求送信部３１４により送信された移動機１０の通知用番号に対応している。番号送信部３１６は、番号受信部３１５により受信されたＭＳＲＮを、取得要求の要求元であるＨＬＲ＿Ｘ７０に送信する。
【００４２】
従って、通信制御システム１によれば、移動機１０のＩＭＳＩ（「ＩＭＳＩ：自網」）に設定されている複数のＭＳＩＳＤＮのうち何れかのＭＳＩＳＤＮに対し着信があった場合にこのＩＭＳＩを有する移動機１０がこの着信に応答できる。このように、実施形態に係る通信制御システム１によれば、複数のＭＳＩＳＤＮが移動機１０のＩＭＳＩに設定されている場合の着信処理技術を提供できる。
【００４３】
＜変形例＞  なお、本発明は、上述の実施形態に限らない。図６は、ＳＭＳ（Short  Message  Service）を用いた通信制御システム１の着信処理を説明するためのシーケンスである。ＳＭＳＣ８０（SMS  Center）は、ＧＭＳＣ６０及びＨＬＲ＿Ｘ７０と同じ通信網Ｘに設けられている。図６のシーケンスに示す着信処理は、図４のシーケンスに示すアタッチ・位置登録処理の後に行われる。まず、ＳＭＳＣ８０は、ＳＭＳにおける移動機１０宛てのショートメッセージの発信要求（ＳＭＳ発信要求）を、「着番号：Ｘ」を用いてＧＭＳＣ６０に行う（ステップＳ４０）。
【００４４】
ＧＭＳＣ６０は、ＳＭＳＣ８０から、ＳＭＳ発信要求を受けると、移動機１０の契約情報や在圏状態を取得するために「ＭＳＩＳＤＮ：Ｘ」を含む着信情報読出要求を、ＨＬＲ＿Ｘ７０に送信する（ステップＳ４１）。この場合、ＧＭＳＣ６０は、上記接続要求の送信時に用いられた「着番号：Ｘ」に基づいて、自機が管理する移動機１０に対する加入者情報から「ＭＳＩＳＤＮ：Ｘ」を取得し、この「ＭＳＩＳＤＮ：Ｘ」を、着信情報読出要求に含める。「着番号：Ｘ」は「ＭＳＩＳＤＮ：Ｘ」を意味し、移動機１０に設定されている複数のＭＳＩＳＤＮのうち一のＭＳＩＳＤＮである。
【００４５】
ＨＬＲ＿Ｘ７０は、ＧＭＳＣ６０からの着信情報読出要求に応じて、「ＩＭＳＩ：Ｘ」及び「在圏交換機番号：ＭＳＣ２０」を含む応答をＧＭＳＣ６０に返す（ステップＳ４２）。この場合、ＨＬＲ＿Ｘ７０は、「ＭＳＩＳＤＮ：Ｘ」に基づいて、「ＩＭＳＩ：Ｘ」及び「在圏交換機番号：ローミングＧＷ３０」を取得する。「在圏交換機番号：ローミングＧＷ３０」は、ローミングＧＷ３０の識別番号である。ＧＭＳＣ６０は、ステップＳ４２において行われたＨＬＲ＿Ｘ７０からの応答に応じて、この応答に含まれている「在圏交換機番号：ローミングＧＷ３０」に基づき「送信先アドレス：ＩＭＳＩ（Ｘ）」及び「着番号：Ｘ」を含むＳＭＳ発信要求をローミングＧＷ３０に送信する（ステップＳ４３）。
【００４６】
ステップＳ４３の後、ＧＭＳＣ６０からのＳＭＳ発信要求をローミングＧＷ３０の要求受信部３１２が受信すると（ステップＳ４４）、ローミングＧＷ３０の番号取得部３１３が、このＳＭＳ発信要求の行われた「着番号：Ｘ」に基づいて「着番号：通知用番号」を取得する（ステップＳ４５）。ローミングＧＷ３０の要求送信部３１４は、ステップＳ４３においてＧＭＳＣ６０から受信したＳＭＳ発信要求（「送信先アドレス：ＩＭＳＩ（Ｘ）」を含む。）を、番号取得部３１３によって取得された「着番号：通知用番号」とともにＭＳＣ２０に送信する（ステップＳ４６）。ステップＳ４６の後、ローミングＧＷ３０から送信されたＳＭＳ発信要求に基づいて、従来のショートメッセージの着信制御が行われる（ステップＳ４７）。
【００４７】
次に、本変形例に係るローミングＧＷ３０の作用効果を説明する。複数の通信網毎に設定された移動機１０に対する複数のＭＳＩＳＤＮと移動機１０の発呼先に通知する通知用番号を含んでおりＭＳＣ２０の保持する加入者情報とを互いに関連付けて保持する本変形例に係るローミングＧＷ３０は、要求受信部３１２、番号取得部３１３及び要求送信部３１４を備える。要求受信部３１２は、複数のＭＳＩＳＤＮのうち何れか一のＭＳＩＳＤＮを用いて成された移動機１０宛てのショートメッセージ（文字情報）の発信要求（ＳＭＳ発信要求）を受信する。番号取得部３１３は、要求受信部３１２により受信されたＳＭＳ発信要求の行われたＭＳＩＳＤＮに基づいて移動機１０の通知用番号を取得する。要求送信部３１４は、要求受信部３１２により受信されたＳＭＳ発信要求を、番号取得部３１３により取得された移動機１０の通知用番号とともにＭＳＣ２０に送信する。
【００４８】
従って、移動機１０に設定されている複数のＭＳＩＳＤＮのうち何れかのＭＳＩＳＤＮに対しショートメッセージの着信があった場合に移動機１０がこのショートメッセージを受信できる。このように、複数のＭＳＩＳＤＮが移動機１０に設定されている場合のショートメッセージの着信処理技術を提供できる。
【図面の簡単な説明】
【００４９】
【図１】実施形態に係る通信制御システムの構成を示す図である。
【図２】ローミングＧＷの構成を示す図である。
【図３】ローミングＧＷの構成を示す図である。
【図４】実施形態に係るアタッチ・位置登録処理を説明するためのシーケンスである。
【図５】実施形態に係る着信処理を説明するためのシーケンスである。
【図６】実施形態に係るＳＭＳにおける着信処理を説明するためのシーケンスである。
【符号の説明】
【００５０】
１…通信制御システム、１０…移動機、２０…ＭＳＣ、３０…ローミングＧＷ、３１…ＣＰＵ、３２…ＲＡＭ、３３…ＲＯＭ、３４…入力装置、３５…出力装置、３６…通信装置、３７…記録装置、３８…バス、４０…ＨＬＲ＿自網、５０…ＨＬＲ＿他網、６０…ＧＭＳＣ、７０…ＨＬＲ＿Ｘ、８０…ＳＭＳＣ、３１１…アタッチ・位置登録部、３１２…要求受信部、３１３…番号取得部、３１４…要求送信部、３１５…番号受信部、３１６…番号送信部。  
【図１】
2008125013.tif 000003
【図２】
2008125013.tif 000004
【図３】
2008125013.tif 000005
【図４】
2008125013.tif 000006
【図５】
2008125013.tif 000007
【図６】
2008125013.tif 000008